(57)【特許請求の範囲】
【請求項１】
竿管本体の外側に合成樹脂被膜層を形成し、該合成樹脂被膜層はその表面に数ミクロンから１０ミクロン程度以下の浅い凹凸による規則的な模様を形成しており、
該合成樹脂被膜層の外側には前記凹凸の残る厚さの薄肉厚の光輝性装飾層を形成し、
該光輝性装飾層の外側に透明か半透明の保護層を形成した
ことを特徴とする光輝性装飾層を有する竿管。
【請求項２】
ゴルフクラブシャフト本体の外側に合成樹脂被膜層を形成し、該合成樹脂被膜層はその表面に数ミクロンから１０ミクロン程度以下の浅い凹凸による規則的な模様を形成しており、
該合成樹脂被膜層の外側には前記凹凸の残る厚さの薄肉厚の光輝性装飾層を形成し、
該光輝性装飾層の外側に透明か半透明の保護層を形成した
ことを特徴とする光輝性装飾層を有するゴルフクラブシャフト。
【発明の詳細な説明】
【０００１】
【産業上の利用分野】
本発明は、光輝性装飾層を有する釣竿の竿管とゴルフクラブのシャフトに関する。
【０００２】
【従来の技術】
物品の一つとして、釣竿の本体表面にカーボン繊維の層を形成し、この外側である最外層にクロームメッキ層を形成して金属層による保護、装飾を施した釣竿が実開昭５６−１１７６８０号公報に開示されている。
【０００３】
【発明が解決しようとする課題】
然しながら、上記クロームメッキ層はカーボン繊維層と接触しているため電食によりクロームメッキ層が侵食されてメッキが剥離したり、また、メッキ層は比較的厚く形成されるため、竿重量が増加すると共に、釣りに際して釣竿が大きく撓んだ時、メッキ層に大きな応力が作用してクラックが発生することがある。更には、カーボン繊維層は表面に凹凸が存在するためメッキすると該メッキ層に凹凸が発生し易く、必ずしも外観の良くない装飾となる。
【０００４】
依って本発明は、クラックや剥離の発生し難くて信頼性の高い、しかも軽量化に寄与しつつ装飾性に優れた竿管とゴルフクラブシャフトの提供を目的とする。
【０００５】
【課題を解決するための手段】
上記目的に鑑みて第１の発明は、竿管本体の外側に合成樹脂被膜層を形成し、該合成樹脂被膜層はその表面に数ミクロンから１０ミクロン程度以下の浅い凹凸による規則的な模様を形成しており、該合成樹脂被膜層の外側には前記凹凸の残る厚さの薄肉厚の光輝性装飾層を形成し、該光輝性装飾層の外側に透明か半透明の保護層を形成したことを特徴とする光輝性装飾層を有する竿管を提供する。
第２の発明は、ゴルフクラブシャフト本体の外側に合成樹脂被膜層を形成し、該合成樹脂被膜層はその表面に数ミクロンから１０ミクロン程度以下の浅い凹凸による規則的な模様を形成しており、該合成樹脂被膜層の外側には前記凹凸の残る厚さの薄肉厚の光輝性装飾層を形成し、該光輝性装飾層の外側に透明か半透明の保護層を形成したことを特徴とする光輝性装飾層を有するゴルフクラブシャフトを提供する。
【０００６】
【作用】
物品（竿管又はゴルフクラブシャフト）本体と光輝性装飾層との間に合成樹脂被膜層が介在しているため、物品、又は物品表面が例えカーボン繊維等によって形成されており、光輝性装飾層が金属の層であっても電食を起こすことが防止できる。なお、物品本体が合成樹脂で形成されている場合には、合成樹脂被膜層とは物品本体そのものの表層を含み、その表面に浅い凹凸模様を形成すればよい。また光輝性装飾層は、凹凸模様の残る厚さの薄肉厚に形成するため、凹凸模様が光輝性装飾層の反射光によって一層引き立ち、反射光に凹凸模様が加味されて味わい深い優れた外観になる。また、数ミクロンから１０ミクロン程度以下の浅い凹凸模様が残る薄肉厚の光輝性装飾層のためメッキによる場合と比較して薄い装飾層が形成される。従って軽量であり、剥離やクラックが生じ難い。また、この薄い光輝性装飾層の上に透明か半透明の保護層を形成しているため、光輝性装飾層が保護されて信頼性が高まる。
【０００７】
【実施例】
以下、本発明を添付図面に示す実施例に基づき、更に詳細に説明する。
図１は物品の１例としての釣竿の元竿１０を示す。図２と図３は、夫々図１の矢視線Ｂ−Ｂ、Ｃ−Ｃによる断面拡大図である。元竿１０は、エポキシ樹脂等の合成樹脂を含浸し、カーボン繊維等を強化繊維とする繊維強化プリプレグを巻回して形成した竿管本体層１２の外側に絶縁性の合成樹脂の被膜層１４を形成している。
【０００８】
この合成樹脂被膜層１４の合成樹脂材は、竿管本体層１２に使用されている合成樹脂と同一の樹脂にして、その密着性を向上させることが好ましいが、同一材には限らない。また、該被膜層１４の表面には図３の横断面図に示すような凹凸模様１４Ｓを図１に示す如く長手方向に長い凹凸条の模様領域１１として形成してある。その他碁盤の目のように形成してもよい。この凹凸模様１４Ｓの凹凸差は数ミクロンから１０ミクロン程度以下に設定する。この上に好ましくはアルミニウムやチタン等の軽い金属を真空蒸着、スパッタリング又はイオンプレーティング等のＰＶＤとも呼ばれる物理蒸着により、金属の薄い光輝性装飾層１６を蒸着形成する。この装飾層１６は１〜２ミクロン程度以下の厚さに形成する。蒸着の基板表面である合成樹脂被膜層１４の凹凸模様１４Ｓが数ミクロン程度の厚さに形成されているため、極薄の光輝性装飾層１６はその凹凸に沿って形成でき、その凹凸模様が外観として残り、金属による光輝性装飾層１６の反射光による光輝性と合成樹脂被膜層１４の凹凸模様１４Ｓとが重合し、その外観が一段と向上する。
【０００９】
また、繊維強化プリプレグによって形成された竿管本体層１２と金属の装飾層１６との間に絶縁性の合成樹脂被膜層１４を形成しているために電食が防止されると共に、前記物理蒸着では基板との密着性が優れていることと併せて金属の装飾層１６の剥離やクラックが生じ難くなる。更には、物理蒸着では蒸着層は１ミクロン程度以下の薄い層に形成できるため、竿が軽量化できると共に、大きな撓みが作用してもクラックが生じ難い。
【００１０】
上記装飾層１６の上に透明又は半透明の保護クリヤー層１８を形成し、この装飾層１６を保護する。この保護層１８はその目的から他の層よりも厚めに形成する。また、染料を混合してカラーの保護クリヤー層に形成し、装飾層１６の光輝性と合わせて元竿１０の外観を深みのある装飾とすることもできる。更には艶消しクリヤー層や、ビーズ入りの塗料によるクリヤー層や、蛍光色を付加したクリヤー層や、汚れ防止、匂い防止、菌の付着防止の粒子等を混入した塗料によるクリヤー層を用いて夫々の特色を出した保護層としてもよい。この保護層１８の表面は平滑に形成されており、元竿外部から内部の光輝性装飾層１６や、該装飾層１６の外側に浮き出た凹凸模様１４Ｓがそのまま外観できるようにしている。
【００１１】
上記図１に示す長手方向に長い凹凸条を１条ずつそのまま機械加工によって形成してもよいが効率的ではない。そこでこのような外観印象を付与する略長手方向に沿った多数の凹凸条を形成する方法として、回転円弧状研摩面を有する研摩機を使用し、元竿１０等の竿管の長手方向に対して略直交する方向にその円弧状研摩面の回転軸芯を設定し、この円弧状研摩面の粗度を適切に選択して竿管の外表面に押し付け、その状態で回転させつつ竿管と円弧状研摩面とを長手方向に相対移動させ、少し回転させて長手方向に復動させることを繰り返せば、竿管表面に多数の凹凸条が形成できる。また、円弧状研摩面を高速回転させつつ竿管をゆっくりと回転させ、長手方向にも低速で相対移動させれば、竿管の略長手方向に沿った多数の凹凸条が形成できる。
【００１２】
図４は本発明に係る他の実施例を示し、図２に対応する拡大断面を示す。竿管本体層１２の外側に絶縁性の合成樹脂被膜層１４を形成し、その上に薄い光輝性装飾層１６を形成することは図２の場合と同様である。この実施例では、装飾層１６の上に上記の透明か又は半透明のカラークリヤー層や蛍光色クリヤー層等２０を形成し、その上に透明か又は半透明の保護層１８を他の層よりも厚く形成する。また、カラークリヤー層２０の代りに紫外線硬化塗料のような硬度の高い、透明か半透明の薄い塗膜にすることもできる。この保護層１８の表面を平滑に形成していることは上記同様である。こうして光輝性装飾層１６の光輝性と併せて深みのある光輝性外観を呈する元竿１０が提供可能になる。この場合保護層１８を省き、カラークリヤー層２０を保護層とすれば図２の場合と同様である。
【００１３】
またカラークリヤー層２０を元竿１０の全表面に形成せず、部分的領域に、例えばリング状に形成して変化のある装飾とすることができる。更には図２の場合も含めて、物理蒸着時に元竿１０を適宜部材によって部分的に覆う等の方法により、装飾層１６を元竿１０の部分表面に形成することもできる。また、元竿１０の握り部等に布等を巻回付加等した構造も本発明の範囲内であり、本発明は元竿に限らず、中竿や穂先竿にも適用できる。
【００１４】
更には既述の如く釣竿本体以外の釣糸ガイド等を含む釣竿全体に適用でき、ゴルフクラブのシャフトにも適用されるが、物品の構成材料として、釣竿のような繊維強化合成樹脂材の他、合成樹脂材、その他金属、特にアルミニウム合金やマグネシウム合金等の合金があるが、合成樹脂材の場合にはその表面に浅い凹凸を形成し、その上に極薄の金属蒸着の装飾層を形成すればよい。然しながら、蒸着金属の物品本体への付着力をより向上させるために、その間に他の種類の合成樹脂被膜層を形成してもよい。
【００１５】
【発明の効果】
以上の説明から明らかなように本発明によれば、物品（竿管又はゴルフクラブシャフト）本体と光輝性装飾層との間に絶縁性の合成樹脂被膜層を形成しているために、例え物品本体やその表面部が、装飾層との間で電食を起こす材料で構成されていても電食が防止され、物理蒸着では基板との密着性が優れていることと併せて、装飾層の剥離やクラックが生じ難くなる。更には、特に物理蒸着では蒸着層は薄く形成できるため、釣竿等の物品が軽量化できると共に、曲げ等の変形が発生してもクラックが生じ難く、また、保護層の存在によって薄い光輝性装飾層が保護を受け、信頼性が高まり、長期間良好な装飾性が保持される。
更には、合成樹脂被膜層の凹凸模様が装飾層の外側に現われ、装飾層の光輝性に凹凸模様が重合して、外観が味わい深くなり、装飾性が一段と向上する。
従って、クラックや剥離が発生し難くて信頼性が高く、しかも軽量で外観の優れた装飾を施した物品が提供できる。
【図面の簡単な説明】
【図１】  図１は本発明に係る物品の一例としての釣竿の元竿の側面図である。
【図２】  図２は図１の矢視線Ｂ−Ｂによる断面拡大図である。
【図３】  図３は図１の矢視線Ｃ−Ｃによる断面拡大図である。
【図４】  図４は本発明に係る他の実施例の断面拡大図であり、図２に対応する断面拡大図である
。
【符号の説明】
１２            竿管本体層
１４            合成樹脂被膜層
１６            装飾層
１８            保護層
２０            カラークリヤー層
【図１】
0003781310.tif 000002
【図２】
0003781310.tif 000003
【図３】
0003781310.tif 000004
【図４】
0003781310.tif 000005